(57)【要約】【課題】特性ばらつきを持ったＰＡを使用しても、このＰＡの特性ばらつきに対応した電圧に設定することで携帯電話機などのシステムを構成することができる無線通信システムを提供する。【解決手段】ポーラループ方式による携帯電話機であって、信号電波の送受信用アンテナ１と、送受信切り替え用アンテナスイッチ２と、送受信を制御する機能などを持つＢＢＬＳＩ３と、送受信信号を変調および復調する機能などを持つＲＦＩＣ４と、送信時に振幅変調によって目標出力電力に増幅する機能などを持つＰＡ５などから構成され、ＰＡ５で振幅変調を行うに際して、目標出力電力を達成するようにＰＡ５の特性ばらつきに対応したバイアス電圧が、レジスタとＤＡＣからなるＢＩＡＳＤＡＣ６により設定されて供給される。【選択図】　　　　図１
2004007434.tif 000002
【特許請求の範囲】
【請求項１】
送受信を制御する制御回路装置と、送受信信号を変調および復調する高周波回路装置と、送信時に振幅変調によって目標出力電力に増幅する電力増幅器とを含み、振幅変調を含むＥＤＧＥ方式の送信を行う無線通信システムであって、
前記電力増幅器で振幅変調を行うに際して、前記目標出力電力を達成するように前記電力増幅器の特性ばらつきに対応したバイアス電圧または電源電圧を任意に設定可能な電圧設定回路を含むことを特徴とする無線通信システム。
【請求項２】
請求項１記載の無線通信システムにおいて、
前記電力増幅器と前記制御回路装置または前記高周波回路装置との間で、前記バイアス電圧または前記電源電圧を設定するための接続が１本の端子で接続されていることを特徴とする無線通信システム。
【請求項３】
請求項２記載の無線通信システムにおいて、
前記電圧設定回路は、前記高周波回路装置または前記制御回路装置に内蔵され、前記電力増幅器と前記高周波回路装置または前記制御回路装置との間で、前記バイアス電圧または前記電源電圧を設定するための接続がアナログ方式による１本の端子で接続されていることを特徴とする無線通信システム。
【請求項４】
請求項２記載の無線通信システムにおいて、
前記電圧設定回路は、前記電力増幅器に内蔵され、前記電力増幅器と前記制御回路装置との間で、前記バイアス電圧または前記電源電圧を設定するための接続がデジタル方式によるシリアル転送用の１本の端子で接続されていることを特徴とする無線通信システム。
【請求項５】
請求項３または４記載の無線通信システムにおいて、
前記電圧設定回路は、前記バイアス電圧または前記電源電圧に対応する値を格納するレジスタと、前記レジスタの値に基づいて前記電力増幅器の特性ばらつきに対応したバイアス電圧または電源電圧を発生するＤＡＣとを含むことを特徴とする無線通信システム。
【発明の詳細な説明】
【０００１】
【発明の属する技術分野】
本発明は、電力増幅器（以下、ＰＡ（　Ｐｏｗｅｒ　Ａｍｐｌｉｆｉｅｒ）と称する）を組み込んだ携帯電話機などの無線通信システムに適用して有効な技術に関し、特にＰＡの特性ばらつきに対応した電圧の供給が可能な無線通信システムに利用して有効な技術に関する。
【０００２】
【従来の技術】
本発明者が検討したところによれば、無線通信システムの一例としての携帯電話機に関しては、以下のような技術が考えられる。
【０００３】
たとえば、携帯電話機においては、送受信を制御する機能などを持つ制御回路装置としてのベースバンドＬＳＩ（以下、ＢＢ（　Ｂａｓｅ　Ｂａｎｄ）ＬＳＩと称する）と、送受信信号を変調および復調する機能などを持つ高周波回路装置としての高周波ＩＣ（以下、ＲＦ（　Ｒａｄｉｏ　Ｆｒｅｑｕｅｎｃｙ）ＩＣと称する）とともに、送信側出力部にＭＯＳＦＥＴやＧａＡｓ−ＭＥＳＦＥＴなどの半導体増幅素子を用いたＰＡが組み込まれている。このＰＡにより、通話に必要な出力電力となるように増幅して出力される。
【０００４】
【発明が解決しようとする課題】
ところで、前記のような携帯電話機に関して、ＧＳＭ（　Ｇｌｏｂａｌ　Ｓｙｓｔｅｍ　ｆｏｒ　Ｍｏｂｉｌｅ　Ｃｏｍｍｕｎｉｃａｔｉｏｎ）方式をベースにしたＥＤＧＥ（　Ｅｎｈａｎｃｅｄ　Ｄａｔａ　ｔｒａｎｓｍｉｔｔｅｄ　ｆｏｒ　ＧＭＳ　Ｅｖｏｌｕｔｉｏｎ）対応のＲＦＩＣでは、振幅変調（ＡＭ：　Ａｍｐｌｉｔｕｄｅ　Ｍｏｄｕｌａｔｏｎ）成分と位相変調（ＰＭ：　Ｐｈａｓｅ　Ｍｏｄｕｌａｔｉｏｎ）成分とを独立させて帰還をかけるポーラループ方式を採用する技術が提案されている。そのため、ＰＡを用いた振幅変調成分を含むＡＭループを構成しており、ＰＡの特性には線形性が必要とされる。
【０００５】
しかしながら、従来の技術を用いて携帯電話機を構築した場合、ポーラループ方式を採用したＥＤＧＥ対応のＲＦＩＣでは、ＰＡの特性への負担が大きくなる。すなわち、各種仕様の携帯電話機を構築する場合に、各ＲＦＩＣに対応したＰＡを選定することが必要となり、その際に、ばらつきのない特定の特性を持ったＰＡ以外、使用できないという課題が生じる。
【０００６】
そこで、本発明者は、特にＰＡの特性ばらつきに着目し、ＥＤＧＥ対応の各ＲＦＩＣに対応させるために、ＰＡの特性ばらつきを補正することを考え付いた。そのために、ＰＡの特性を決める要因として、振幅変調を行う際のバイアス電圧に着目し、このバイアス電圧を目標出力電力を達成するようにＰＡの特性ばらつきに対応して設定することを見出した。
【０００７】
そこで、本発明の目的は、特性ばらつきを持ったＰＡを使用しても、このＰＡの特性ばらつきに対応した電圧に設定することで携帯電話機などのシステムを構成することができる無線通信システムを提供することにある。
【０００８】
本発明の前記ならびにその他の目的と新規な特徴は、本明細書の記述および添付図面から明らかになるであろう。
【０００９】
【課題を解決するための手段】
本願において開示される発明のうち、代表的なものの概要を簡単に説明すれば、次のとおりである。
【００１０】
すなわち、本発明は、送受信を制御するＢＢＬＳＩと、送受信信号を変調および復調するＲＦＩＣと、送信時に振幅変調によって目標出力電力に増幅するＰＡとを含み、振幅変調を含むＥＤＧＥ方式の送信を行う携帯電話機などの無線通信システムに適用され、以下のような特徴を有するものである。
【００１１】
（１）ＰＡで振幅変調を行うに際して、目標出力電力を達成するようにＰＡの特性ばらつきに対応したバイアス電圧または電源電圧を任意に設定可能な電圧設定回路（たとえばレジスタとＤＡＣ（　Ｄｉｇｉｔａｌ　ｔｏ　Ａｎａｌｏｇ　Ｃｏｎｖｅｒｔｅｒ））を有するものである。これにより、特性ばらつきを持ったＰＡを使用しても、このＰＡの特性ばらつきに対応したバイアス電圧または電源電圧に設定して、無線通信システムを構成することができるようになる。
【００１２】
（２）ＰＡとＢＢＬＳＩまたはＲＦＩＣとの間で、バイアス電圧または電源電圧を設定するための接続が１ピンであるシステム構成とするものである。これにより、ＰＡとＢＢＬＳＩまたはＲＦＩＣとの間を１ピンで接続することで、バイアス電圧または電源電圧を供給することができるようになる。
【００１３】
（３）ＤＡＣは、ＰＡまたはＢＢＬＳＩまたはＲＦＩＣに内蔵するシステム構成とするものである。この構成において、ＤＡＣがＲＦＩＣまたはＢＢＬＳＩに内蔵の時は、アナログ方式の１ピンにて接続するようにしたものである。あるいは、ＤＡＣがＰＡに内蔵の時は、デジタル方式によるシリアル転送用の１ピン（ＢＢＬＳＩ）にて接続するようにしたものである。これにより、ＤＡＣのＲＦＩＣ、ＢＢＬＳＩまたはＰＡへの内蔵において、バイアス電圧または電源電圧を供給するために、１ピンの端子、１本の配線で接続することができるようになる。
【００１４】
【発明の実施の形態】
以下、本発明の実施の形態を図面に基づいて詳細に説明する。なお、実施の形態を説明するための全図において、同一機能を有する部材には同一の符号を付し、その繰り返しの説明は省略する。
【００１５】
本発明を適用した無線通信システムは、特に限定されるものではないが、たとえばＰＡを組み込んだ携帯電話機に適用され、この携帯電話機の一例を以下において説明する。
【００１６】
図１により、本発明の一実施の形態の携帯電話機の構成の一例を説明する。図１は、本実施の形態の携帯電話機の概略構成を示す。
【００１７】
本実施の形態の携帯電話機は、たとえばポーラループ方式による携帯電話機とされ、信号電波の送受信用アンテナ１と、送受信切り替え用アンテナスイッチ２と、送受信を制御する機能などを持つＢＢＬＳＩ３と、送受信信号を変調および復調する機能などを持つＲＦＩＣ４と、送信時に振幅変調によって目標出力電力に増幅する機能などを持つＰＡ５などから構成されている。
【００１８】
ＢＢＬＳＩ３は、ＲＦＩＣ４との間で双方向に接続され、たとえばＤＳＰ（　Ｄｉｇｉｔａｌ　Ｓｉｇｎａｌ　Ｐｒｏｃｅｓｓｏｒ）やマイクロプロセッサ、半導体メモリなどから構成される制御回路装置である。このＢＢＬＳＩ３には、送信時に音声信号をベースバンド信号に変換したり、受信時に受信信号を音声信号に変換したり、さらに送受信時の変調方式切り替え信号やバンド切り替え信号を生成する機能などが設けられている。
【００１９】
ＲＦＩＣ４は、アンテナ１につながるアンテナスイッチ２、ＢＢＬＳＩ３、ＰＡ５と接続され、たとえばＶＣＯを備えたＰＬＬシンセサイザや、変調器、復調器、分周器、ミキサ、切り替えスイッチなどから構成される高周波回路装置である。このＲＦＩＣ４には、複数の周波数帯の発振信号を発生するとともに、送信時に送信信号を変調したり、受信時に受信信号を復調したり、ＧＳＭ、ＤＣＳ（Ｄｉｇｉｔａｌ　Ｃｅｌｌｕｌａｒ　Ｓｙｓｔｅｍ　）、ＰＣＳ（　Ｐｅｒｓｏｎａｌ　Ｃｏｍｍｕｎｉｃａｔｉｏｎ　Ｓｙｓｔｅｍ）方式などの切り替えを行う機能などが設けられている。
【００２０】
ＰＡ５は、アンテナ１につながるアンテナスイッチ２、ＲＦＩＣ４と接続されて構成される電力増幅器である。このＰＡ５には、通話に必要な出力電力に増幅して出力する機能などが設けられている。
【００２１】
以上のように構成される携帯電話機では、ポーラループ方式を採用しているために、振幅変調成分と位相変調成分とを独立させて帰還をかけるループが形成される。特に、振幅ループは、ＰＡ５を用いた振幅変調成分を含み、ＲＦＩＣ４からＰＡ５を経てＲＦＩＣ４に戻る経路となっており、ＰＡ５のバイアス電圧がＲＦＩＣ４から供給されることによって、ＰＡ５が効率良く利用できるようになっている。
【００２２】
なお、図１においては、ＰＡ５のバイアス電圧を供給するバイアス電圧供給用のＢＩＡＳＤＡＣ６をＲＦＩＣ４に内蔵した例を示しているが、ＢＩＡＳＤＡＣ６をＰＡ５またはＢＢＬＳＩ３に内蔵することも可能であり、これについては後述する。
【００２３】
図２〜図４により、ＰＡとＢＩＡＳＤＡＣとの接続および構成の一例を説明する。図２はＰＡとＢＩＡＳＤＡＣとの概略構成、図３はＰＡの概略回路、図４はＢＩＡＳＤＡＣの概略構成をそれぞれ示す。
【００２４】
ＰＡ５は、図２のように、ＡＭコントローラ１１、アンプ１２、コンデンサＣ１などから構成される。特に限定されるものではないが、ＰＡ５は、たとえばＡＭコントローラ１１、アンプ１２などが半導体チップ上に集積回路として構成され、これらの集積回路とコンデンサＣ１などの素子が共通のセラミック基板上に実装され、モジュールとして構成される。このＰＡ５では、位相変調成分の信号ＰＡｉｎが入力され、ＡＭコントローラ１１に振幅変調成分の信号Ｖｒａｍｐが入力され、バイアス電圧Ｖｂｉａｓが供給されている状態で、アンプ１２により増幅されて位相成分に振幅成分を加えた信号Ｖｒｆｏｕｔとして出力される。
【００２５】
具体的に、ＰＡ５は、たとえば図３に一例を示すように、コンデンサＣ１、トランジスタＴ１，Ｔ２、抵抗Ｒ１，Ｒ２などから構成される。トランジスタＴ１は、ゲート端子がコンデンサＣ１を介してＰＡｉｎ端子に、ドレイン端子がＶｒｆｏｕｔ端子に、ソース端子が接地電位にそれぞれ接続されている。さらに、このトランジスタＴ１のゲート端子は、抵抗Ｒ１を介してＶｂｉａｓ端子に接続されている。トランジスタＴ２は、ゲート端子がＶｒａｍｐ端子に、ドレイン端子がＶｃｃ電位に、ソース端子が抵抗Ｒ２を介してＶｒｆｏｕｔ端子にそれぞれ接続されている。
【００２６】
ＢＩＡＳＤＡＣ６は、レジスタ２１、ＤＡＣ２２などから構成され、ＤＡＣ２２には電流源２３、抵抗２４とスイッチ２５の並列回路、アンプ２６などが設けられている。このＢＩＡＳＤＡＣ６では、ＰＡ５の特性ばらつきに適用可能なバイアス電圧Ｖｂｉａｓに対応したデータをレジスタ２１に格納しておき、このレジスタ２１のデータに基づいて並列回路の抵抗２４による抵抗値がＰＡ５の特性に合うようにスイッチ２５を開閉して切り替え、アンプ２６を介してＰＡ５の特性にあったバイアス電圧ＶｂｉａｓがＤＡＣ２２から出力される。
【００２７】
具体的に、ＢＩＡＳＤＡＣ６は、たとえば図４に一例を示すように、レジスタ２１、ＤＡＣ２２などの構成において、ロードイネーブル信号ＬＥの活性化（開始）により、外部のＢＢＬＳＩ３から、レジスタ２１にクロック信号ＣＬＫに同期してデータＤＡＴＡが取り込まれ、保持される。その後、レジスタ２１に保持されたデータは、パラレル転送によりＤＡＣ２２に送られ、ＤＡＣ２２においてデジタル信号からアナログ信号に変換され、バイアス電圧Ｖｂｉａｓとして出力される。このバイアス電圧Ｖｂｉａｓは、アナログ方式によりＢＩＡＳＤＡＣ６からＰＡ５に対して１ピンの端子で供給される。
【００２８】
以上のように構成されるＰＡ５とＢＩＡＳＤＡＣ６との接続において、この動作は、ＰＡ５に対して、位相変調成分の信号ＰＡｉｎを入力し、振幅変調成分の信号Ｖｒａｍｐを入力する。そして、アンプ１２により増幅して、この増幅した位相成分に振幅成分を加えた信号ＶｒｆｏｕｔをＰＡ５から出力する。
【００２９】
この時、ＢＩＡＳＤＡＣ６では、レジスタ２１のデータに基づいて並列回路の抵抗２４による抵抗値をＰＡ５の特性に合うようにスイッチ２５を開閉して切り替え、ＰＡ５の特性にあったバイアス電圧Ｖｂｉａｓを設定する。そして、ＢＩＡＳＤＡＣ６より、ＰＡ５の特性にあったバイアス電圧Ｖｂｉａｓを供給することにより、ＰＡ５の性能を最大限に利用することができる。
【００３０】
図５、図６により、ＰＡの特性の一例を説明する。図５は線形性が必要な範囲で線形性が得られない場合、図６は線形性が必要な範囲で精度が得られない場合をそれぞれ示し、横軸は振幅変調成分の信号Ｖｒａｍｐ［Ｖ］、縦軸は増幅した位相成分に振幅成分を加えた信号Ｖｒｆｏｕｔ［ｄＢｍ］を表す。
【００３１】
ＰＡ５において、ポーラループを構成するにあたって、振幅信号に対して歪まないように線形性と無限の帯域があることが望ましい。しかし、実際は、ハイパワーレベル（Ｖｒａｍｐ＝大）時には、一定のゲインと線形性の特性を示すが、ロウパワーレベル（Ｖｒａｍｐ＝小）時には、線形性は得られず、ＰＡ５のゲインも変化する。
【００３２】
図５に示す特性の例では、ＢＩＡＳＤＡＣ６より与えるバイアス電圧Ｖｂｉａｓの値により、ＰＡ５の線形領域が変化する。バイアス電圧ＶｂｉａｓをＶｂｉａｓ１に設定すると、線形性が必要な範囲において線形性を保つことができない。そのため、バイアス電圧ＶｂｉａｓをＶｂｉａｓ２に設定することによって、線形性が必要な範囲において線形性を持たせる。
【００３３】
図６に示す特性の例では、バイアス電圧ＶｂｉａｓをＶｂｉａｓ３、Ｖｂｉａｓ４のどちらに設定しても線形性を保つことができているが、Ｖｂｉａｓ３に対してＶｂｉａｓ４では、必要とする最大出力に対して振幅変調成分の信号Ｖｒａｍｐの使用範囲が小さくなり、信号Ｖｒａｍｐによる精度良い制御ができない。そのため、バイアス電圧ＶｂｉａｓはＶｂｉａｓ３に設定することによって、線形性が必要な領域で信号Ｖｒａｍｐによる可変範囲を最大にできるように設定する。
【００３４】
このように、線形性が必要な範囲において線形性を持たせ、かつ線形性が必要な領域で信号Ｖｒａｍｐによる可変範囲を最大にできるようにバイアス電圧Ｖｂｉａｓを与えることにより、ＰＡ５を効率良く使用することができる。なお、バイアス電圧Ｖｂｉａｓは、たとえばＰＡ５を携帯電話機に組み込むときに個々の特性に応じた最適な値を求め、ＢＢＬＳＩ３に記憶させておく。そして、携帯電話機の電源投入時にＢＢＬＳＩ３よりバイアス電圧Ｖｂｉａｓの値をＲＦＩＣ４内のＢＩＡＳＤＡＣ６のレジスタ２１に書き込むことによって、ＰＡ５に対応したバイアス電圧を供給する。
【００３５】
図７、図８により、携帯電話機の別の構成の一例を説明する。図７はＢＩＡＳＤＡＣをＢＢＬＳＩに内蔵した場合、図８はＢＩＡＳＤＡＣをＰＡに内蔵した場合をそれぞれ示し、いずれも１ピンにてバイアス電圧を設定できるシステム構成となっている。
【００３６】
図７に示す携帯電話機の構成例では、ＢＩＡＳＤＡＣ６をＢＢＬＳＩ３ａに内蔵し、アナログ用の１ピンにてＰＡ５にバイアス電圧を供給するシステム構成である。すなわち、携帯電話機は、ＢＩＡＳＤＡＣ６を内蔵したＢＢＬＳＩ３ａと、ＲＦＩＣ４ａと、ＰＡ５などから構成され、ＢＢＬＳＩ３ａに内蔵されたＢＩＡＳＤＡＣ６からＰＡ５に対して１ピンで、アナログ方式でバイアス電圧を供給することが可能となっている。
【００３７】
図８に示す携帯電話機の構成例では、ＢＩＡＳＤＡＣ６をＰＡ５ｂに内蔵し、デジタルシリアル転送用の１ピンにてＰＡ５ｂにバイアス電圧を供給するシステム構成である。すなわち、携帯電話機は、ＢＢＬＳＩ３と、ＲＦＩＣ４ｂと、ＢＩＡＳＤＡＣ６を内蔵したＰＡ５ｂなどから構成され、ＢＢＬＳＩ３からＰＡ５ｂに対して１ピンで、デジタル方式によるシリアル転送でバイアス電圧を設定するための信号を供給することが可能となっている。
【００３８】
従って、本実施の形態の携帯電話機によれば、以下のような効果を得ることができる。
【００３９】
（１）振幅変調を行うＥＤＧＥ方式の送信を行う携帯電話機において、バイアス電圧を任意に設定可能なレジスタ２１とＤＡＣ２２を有することにより、特性ばらつきを持ったＰＡ５を使用しても、このＰＡ５の特性ばらつきに対応したバイアス電圧に設定してシステムを構成することができる。
【００４０】
（２）ＰＡ５とＢＢＬＳＩ３またはＲＦＩＣ４との間を１ピンで接続することにより、ＰＡ５に対して１ピンのみでバイアス電圧を供給することができる。
【００４１】
（３）ＢＩＡＳＤＡＣ６をＰＡ５またはＢＢＬＳＩ３またはＲＦＩＣ４に内蔵するシステム構成において、ＢＩＡＳＤＡＣ６をＲＦＩＣ４またはＢＢＬＳＩ３に内蔵の時はアナログ方式の１ピンにて接続し、あるいはＢＩＡＳＤＡＣ６をＰＡ５に内蔵の時はデジタル方式によるシリアル転送用の１ピンにて接続することにより、バイアス電圧を供給するために１ピンの端子、１本の配線で接続することができる。
【００４２】
（４）特性ばらつきを持ったＰＡ５を使用してシステムを構成することができるので、各種の仕様を満たすことができ、この結果、各種仕様の携帯電話機を構築することができる。
【００４３】
以上、本発明者によってなされた発明をその実施の形態に基づき具体的に説明したが、本発明は前記実施の形態に限定されるものではなく、その要旨を逸脱しない範囲で種々変更可能であることはいうまでもない。
【００４４】
たとえば、前記実施の形態においては、ＰＡの特性ばらつきに対応したバイアス電圧を設定する場合について説明したが、これに限定されるものではなく、ＰＡの電源電圧をＰＡの特性ばらつきに対応させて設定することも可能である。この場合にも、バイアス電圧と同様に、レジスタとＤＡＣなどからなる電圧設定回路により電源電圧を設定する構成などを採用することができる。
【００４５】
また、前記実施の形態においては、携帯電話機に適用した場合を例に説明したが、たとえばＥＤＧＥ対応の携帯電話機用ＩＣなどに適用しても効果的であり、さらに各種無線通信システムなどに応用することができる。
【００４６】
【発明の効果】
本願において開示される発明のうち、代表的なものによって得られる効果を簡単に説明すれば、以下のとおりである。
【００４７】
すなわち、特性ばらつきを持ったＰＡを使用しても、このＰＡの特性ばらつきに対応した電圧に設定することで携帯電話機などのシステムを構成することができる無線通信システムを提供することが可能となる。
【図面の簡単な説明】
【図１】本発明の一実施の形態の携帯電話機を示す概略構成図である。
【図２】本発明の一実施の形態の携帯電話機において、ＰＡとＢＩＡＳＤＡＣとを示す概略構成図である。
【図３】本発明の一実施の形態の携帯電話機において、ＰＡを示す概略回路図である。
【図４】本発明の一実施の形態の携帯電話機において、ＢＩＡＳＤＡＣを示す概略構成図である。
【図５】本発明の一実施の形態の携帯電話機において、線形性が必要な範囲で線形性が得られない場合のＰＡの特性を示す説明図である。
【図６】本発明の一実施の形態の携帯電話機において、線形性が必要な範囲で精度が得られない場合のＰＡの特性を示す説明図である。
【図７】本発明の一実施の形態において、ＢＩＡＳＤＡＣをＢＢＬＳＩに内蔵した場合の携帯電話機を示す概略構成図である。
【図８】
本発明の一実施の形態において、ＢＩＡＳＤＡＣをＰＡに内蔵した場合の携帯電話機を示す概略構成図である。
【符号の説明】
１　アンテナ
２　アンテナスイッチ
３，３ａ　ＢＢＬＳＩ
４，４ａ，４ｂ　ＲＦＩＣ
５，５ｂ　ＰＡ
１１　ＡＭコントローラ
１２　アンプ
２１　レジスタ
２２　ＤＡＣ
２３　電流源
２４　抵抗
２５　スイッチ
２６　アンプ
【図１】
2004007434.tif 000003
【図２】
2004007434.tif 000004
【図３】
2004007434.tif 000005
【図４】
2004007434.tif 000006
【図５】
2004007434.tif 000007
【図６】
2004007434.tif 000008
【図７】
2004007434.tif 000009
【図８】
2004007434.tif 000010